(57)【要約】【課題】端子用カバーの抜けをより確実に防ぐ電子機器を実現する。【解決手段】爪部（７）における蓋部（５）側の側面（７ｓ）と、連結部（６）における爪部（７）に対して蓋部（５）側とのなす角（θ）が鋭角である。【選択図】図１
2018078255.tif 000002
【特許請求の範囲】
【請求項１】
外部接続端子を露出させる端子用開口を塞ぐ端子用カバーを備えており、
上記端子用カバーは、
上記端子用開口を塞ぐ蓋部と、
上記蓋部から延びており、上記端子用開口の周縁に形成された係止用孔に挿入されている連結部と、
上記連結部に設けられており、上記係止用孔における電子機器内側の周縁に引っかかる爪部とを有しており、
上記爪部における上記蓋部側の側面と、上記連結部における上記爪部に対して上記蓋部側とのなす角が鋭角であることを特徴とする電子機器。
【請求項２】
上記係止用孔における電子機器内側の周縁は、上記爪部における上記蓋部側の側面と略平行な面を含んでいることを特徴とする請求項１に記載の電子機器。
【請求項３】
上記係止用孔の内壁は、上記連結部の延伸方向に対して略平行な面を含んでいることを特徴とする請求項１または２に記載の電子機器。
【請求項４】
上記係止用孔の内壁は、電子機器外側に向けて上記係止用孔のサイズが大きくなるように傾斜した面であることを特徴とする請求項１から３のいずれか１項に記載の電子機器。
【請求項５】
上記爪部は、上記連結部と反対側に、上記連結部の延伸方向に対して略平行な面を含んでいることを特徴とする請求項１から４のいずれか１項に記載の電子機器。
【発明の詳細な説明】
【技術分野】
【０００１】
本発明は、電子機器に関する。
【背景技術】
【０００２】
電子機器、とりわけ、携帯電話機、スマートフォン等の携帯端末において、外部接続端子を露出させる端子用開口を塞ぐ端子用カバーを備えたものが知られている。当該端子用カバーは、当該端子用開口を塞ぐ蓋部と、当該蓋部から延びている連結部と、当該連結部に設けられた爪部とを有している。そして、当該端子用開口の周縁に形成された係止用孔に当該連結部を挿入することによって、当該爪部が当該係止用孔における携帯端末内側の周縁に引っかかり、これにより、当該携帯端末における当該端子用カバーの抜けを防ぐことができる。
【０００３】
上記携帯端末の一例が、特許文献１に開示されている。特許文献１に開示されている携帯電話機（携帯端末）の抜け止め部（爪部）における端子カバー（蓋部）側の側面と、接続部（連結部）における抜け止め部に対して端子カバー側とのなす角は、直角となっている。
【先行技術文献】
【特許文献】
【０００４】
【特許文献１】特開２０１３−１７０２９号公報（２０１３年１月２４日公開）
【発明の概要】
【発明が解決しようとする課題】
【０００５】
上記携帯端末の端子用カバーは一般に、合成樹脂またはエラストマー等の弾性部材で構成されているため、変形し易い。この変形に基づいて、特許文献１に開示されている携帯電話機においては、抜け止め部が接続用貫通孔（係止用孔）を通り易い形状に変形することによって、カバー部（端子用カバー）の抜けが発生し易いという問題が発生する。この問題は、カバー部を斜めに傾けた場合に特に発生し易い。
【０００６】
上記の問題について、図６の（ａ）および図６の（ｂ）を参照してより具体的に説明する。図６の（ａ）および図６の（ｂ）は、爪部２０４の変形によって、携帯端末（電子機器）３００における端子用カバー２０１の抜けが発生するメカニズムの一例を概略的に示す断面図である。蓋部２０２が矢印の方向に引っ張られると、連結部２０３に設けられた爪部２０４が、係止用孔２０５の周縁２０６に押し付けられる。このとき、爪部２０４における蓋部２０２側の側面２０４ｓと、連結部２０３における爪部２０４に対して蓋部２０２側とのなす角θ´は、直角（図６の（ａ）参照）から、鈍角（図６の（ｂ）参照）に変化する。この結果、周縁２０６に対する爪部２０４の引っかかりが軟弱となり、携帯端末３００における端子用カバー２０１の抜けが発生する。
【０００７】
本発明の一態様は、端子用カバーの抜けをより確実に防ぐ電子機器を実現することを目的とする。
【課題を解決するための手段】
【０００８】
上記の課題を解決するために、本発明の一態様に係る電子機器は、外部接続端子を露出させる端子用開口を塞ぐ端子用カバーを備えており、上記端子用カバーは、上記端子用開口を塞ぐ蓋部と、上記蓋部から延びており、上記端子用開口の周縁に形成された係止用孔に挿入されている連結部と、上記連結部に設けられており、上記係止用孔における電子機器内側の周縁に引っかかる爪部とを有しており、上記爪部における上記蓋部側の側面と、上記連結部における上記爪部に対して上記蓋部側とのなす角が鋭角であることを特徴としている。
【発明の効果】
【０００９】
本発明の一態様によれば、端子用カバーの抜けをより確実に防ぐ電子機器を実現することができる。
【図面の簡単な説明】
【００１０】
【図１】本発明の実施の形態１および２に係る電子機器の主要部の構成を示す断面図であり、（ａ）は端子用カバーが端子用開口を塞いでいる状態を示しており、（ｂ）は端子用カバーが端子用開口を塞いでいない状態を示している。
【図２】電子機器における端子用カバーの抜けが発生するメカニズムの一例を概略的に示す断面図であり、（ａ）は端子用カバーが端子用開口を塞いでいる状態を示しており、（ｂ）は端子用カバーが端子用開口を塞いでおらずかつ蓋部が傾けられた状態を示している。
【図３】電子機器における端子用カバーの抜けを防ぐメカニズムを概略的に示す断面図であり、（ａ）は端子用カバーが端子用開口を塞いでいる状態を示しており、（ｂ）は端子用カバーが端子用開口を塞いでおらずかつ蓋部が傾けられた状態を示している。
【図４】本発明の実施の形態３に係る電子機器の主要部の構成を示す断面図であり、端子用カバーが端子用開口を塞いでいない状態を示している。
【図５】本発明の実施の形態４に係る電子機器の主要部の構成を示す断面図であり、端子用カバーが端子用開口を塞いでいない状態を示している。
【図６】爪部の変形によって、電子機器における端子用カバーの抜けが発生するメカニズムの一例を概略的に示す断面図である。
【発明を実施するための形態】
【００１１】
〔実施の形態１〕
本発明を実施するための形態について、図１〜図５を参照して説明する。図１は、本発明の実施の形態１に係る携帯端末（電子機器）１００の主要部の構成を示す断面図である。図１の（ａ）は、端子用カバー１が端子用開口２を塞いでいる状態を示している。図１の（ｂ）は、端子用カバー１が端子用開口２を塞いでいない状態を示している。携帯端末１００は、端子用カバー１およびキャビネット３を備えている。キャビネット３には、外部接続端子４（図２参照）を露出させる端子用開口２が形成されている。端子用カバー１は、合成樹脂またはエラストマー等の弾性部材によって構成されており、端子用開口２を塞ぐことを目的として設けられている。
【００１２】
端子用カバー１は、蓋部５、連結部６、爪部７、および防水用Ｏリング８を有している。蓋部５は、実際に端子用開口２を塞ぐ機能を有している蓋である。連結部６は、蓋部５から延びている部材である。具体的に、連結部６は、蓋部５の裏面（端子用カバー１が端子用開口２を塞いでいる状態において、携帯端末１００内側に位置する面）から、蓋部５に対して略直交に延伸するものである。爪部７は、連結部６に設けられた鉤状の部材である。防水用Ｏリング８は、蓋部５の裏面の縁近傍に亘って設けられた環状の部材であり、端子用カバー１が端子用開口２を塞いでいる状態において、端子用開口２に水分が侵入することを防止することによって、外部接続端子４の防水機能を発揮するものである。
【００１３】
なお、蓋部５と連結部６との結合にヒンジ構造を適用し、連結部６が蓋部５の裏面に対して略直交に回動可能な構成としてもよい。また、連結部６は、湾曲した（例えば、弓型）形状を含んでいてもよい。また、爪部７は、連結部６の一部として形成されているが、連結部６と別体として設けられていてもよい。また、爪部７は、連結部６における蓋部５と反対側の先端に配置されているが、当該先端に対して蓋部５側（すなわち、蓋部５から見て手前）に配置されていてもよい。また、防水用Ｏリング８については、必要に応じて、端子用カバー１の構成要素から省かれてもよい。
【００１４】
また、キャビネット３における端子用開口２の底（周縁）に、係止用孔９が形成されている。係止用孔９は、キャビネット３の内部の空間に繋がる貫通孔である。そして、係止用孔９に連結部６を挿入することによって、爪部７が係止用孔９における携帯端末１００内側の周縁１０に引っかかる。換言すれば、携帯端末１００は、係止用孔９に挿入されている連結部６と、周縁１０に引っかかる爪部７とを有している。これにより、携帯端末１００における端子用カバー１の抜けを防ぐことができる。
【００１５】
ここで、爪部７における蓋部５側の側面７ｓと、連結部６における爪部７に対して蓋部５側とのなす角θは、鋭角である。当該鋭角は、より好ましくは、２０°〜８９°である。側面７ｓは、連結部６の延伸方向（蓋部５から離れる方向）ｚに対して鈍角に傾斜していると表現することもできる。爪部７は、僅かにではあるが、蓋部５に向けて延びていると表現することもできる。
【００１６】
これにより、連結部６および側面７ｓによって構成される鉤（爪）の曲がりを急峻に形成することができるため、周縁１０に対する爪部７の引っかかりが強固になる。また、蓋部５が引っ張られて爪部７が周縁１０に押し付けられたとき、角θは、鋭角から直角に変化し、その後鈍角に変化する。このため、角θが鋭角から直角に変化するまでに必要な力の分、当該引っ張りに対して携帯端末１００における端子用カバー１の抜けが発生しにくい。
【００１７】
図２は、端子用カバー１ａを備えた携帯端末（図示しない）における端子用カバー１ａの抜けが発生するメカニズムの一例を概略的に示す断面図である。図２の（ａ）は、端子用カバー１ａが端子用開口２（図１参照）を塞いでいる状態を示している。図２の（ｂ）は、端子用カバー１ａが端子用開口２を塞いでおらずかつ蓋部５が傾けられた状態を示している。なお、図２の（ａ）および図２の（ｂ）については、図示を簡潔にするために、当該メカニズムと直接的な関連の無い部材については、一部図示を省略している。また、以下、説明の便宜上、先に説明した部材と同じ機能を有する部材については、同じ符号を付記し、その説明を省略する。
【００１８】
端子用カバー１ａは、端子用カバー１（図１参照）に対して、爪部７（図１参照）の代わりに爪部７ａを有している。爪部７ａは、爪部７と同じく、連結部６に設けられており、周縁１０に引っかかる。一方、爪部７ａにおける蓋部５側の側面７ａｓと、連結部６における爪部７ａに対して蓋部５側とのなす角θａは、鈍角である。なお、外部接続端子４は、搭載元の携帯端末と、当該携帯端末の外部の部材とを、構造的にかつ機能的に接続する端子であり、例えば、充電用端子、各種の入力端子、または各種の出力端子が挙げられる。
【００１９】
図２の（ａ）に示すとおり、蓋部５を矢印の方向に傾けると、当該傾け度合を大きくするほど、角θａは大きくなる。これは、側面７ａｓが周縁１０に押し付けられることによって、角θａが広げられることによる。角θａは、元々鈍角であるため、当該押し付けによって、１８０°（すなわち、側面７ａｓと連結部６の延伸方向とが平行）に近くなる。この結果、連結部６および側面７ａｓによって構成される鉤（爪）の曲がりが緩やかになるため、周縁１０に対する爪部７ａの引っかかりが軟弱となり、上記携帯端末における端子用カバー１ａの抜けが発生する。
【００２０】
図３は、携帯端末１００における端子用カバー１の抜けを防ぐメカニズムを概略的に示す断面図である。図３の（ａ）は、端子用カバー１が端子用開口２を塞いでいる状態を示している。図３の（ｂ）は、端子用カバー１が端子用開口２を塞いでおらずかつ蓋部５が傾けられた状態を示している。なお、図３の（ａ）および図３の（ｂ）については、図示を簡潔にするために、当該メカニズムと直接的な関連の無い部材については、一部図示を省略している。
【００２１】
角θは、元々鋭角であるため、側面７ｓが周縁１０に押し付けられることによって、９０°（すなわち、側面７ａｓと連結部６の延伸方向とが直交）に近くなる。この結果、連結部６および側面７ｓによって構成される鉤（爪）の曲がりを急峻に維持することができるため、周縁１０に対する爪部７の引っかかりが強固となり、携帯端末１００における端子用カバー１の抜けを防ぐことができる。なお、図３の（ｂ）に示すように、端子用カバー１が抜ける前に、連結部６が撓むケースも考えられ、この場合、側面７ｓが周縁１０に押し付けられる力を連結部６によって吸収することができるため、携帯端末１００における端子用カバー１の抜けをより効果的に防ぐことができる。
【００２２】
〔実施の形態２〕
携帯端末１００において、周縁１０は、側面７ｓと略平行な面を含んでいる。これにより、周縁１０と連結部６および側面７ｓとが高精度に係合する（強固に噛み合う）ため、携帯端末１００における端子用カバー１の抜けをより効果的に防ぐことができる。またこれにより、側面７ｓと周縁１０との接触面積が広くなるため、側面７ｓと周縁１０との間の摩擦力が大きくなり、携帯端末１００における端子用カバー１の抜けをより効果的に防ぐことができる。
【００２３】
〔実施の形態３〕
図４は、本発明の実施の形態３に係る携帯端末１０１の主要部の構成を示す断面図であり、端子用カバー１が端子用開口２を塞いでいない状態を示している。携帯端末１０１は、携帯端末１００（図１参照）に対して、キャビネット３（図１参照）の代わりにキャビネット３ａを備えている。キャビネット３ａは、キャビネット３に対して、係止用孔９（図１参照）の代わりに係止用孔９ａが形成されている。以下、係止用孔９ａについて説明を行うが、係止用孔９ａの構成は、以下に説明する内容を除いて、係止用孔９の構成と同様である。
【００２４】
係止用孔９ａの内壁９ａｗは、連結部６の延伸方向ｚに対して略平行な面を含んでいると解釈することができる。内壁９ａｗが延伸方向ｚに対して略平行な面を含んでいることにより、係止用孔９ａに挿入された連結部６と内壁９ａｗとが、面状に接触する。これにより、連結部６と内壁９ａｗとの間の摩擦力が大きくなり、携帯端末１０１における端子用カバー１の抜けを効果的に防ぐことができる。
【００２５】
また、係止用孔９ａの内壁９ａｗは、携帯端末１０１外側に向けて係止用孔９ａのサイズが大きくなるように傾斜した面であると解釈することもできる。内壁９ａｗが携帯端末１０１外側に向けて係止用孔９ａのサイズが大きくなるように傾斜した面であることにより、内壁９ａｗと周縁１０とのなす角Δを鋭角にすることが容易となる。角Δを鋭角にすることによって、内壁９ａｗと周縁１０との境界およびその近傍に爪部７が引っかかり易くなり、携帯端末１０１における端子用カバー１の抜けを効果的に防ぐことができる。
【００２６】
〔実施の形態４〕
図５は、本発明の実施の形態４に係る携帯端末１０２の主要部の構成を示す断面図であり、端子用カバー１ｂが端子用開口２を塞いでいない状態を示している。携帯端末１０２は、携帯端末１００（図１参照）に対して、端子用カバー１（図１参照）の代わりに端子用カバー１ｂを備えている。端子用カバー１ｂは、端子用カバー１に対して、爪部７（図１参照）の代わりに爪部７ｂを有している。以下、端子用カバー１ｂの爪部７ｂについて説明を行うが、端子用カバー１ｂおよび爪部７ｂの構成は、以下に説明する内容を除いて、それぞれ端子用カバー１および爪部７の構成と同様である。
【００２７】
爪部７ｂは、爪部７に対して、連結部６と反対側に、連結部６の延伸方向ｚに対して略平行な面７ｂｐを含んでいる。これにより、面７ｂｐと係止用孔９の内壁とが、面状に接触する。これにより、爪部７ｂと当該内壁との間の摩擦力が大きくなり、携帯端末１０２における端子用カバー１ｂの抜けを効果的に防ぐことができる。
【００２８】
なお、上記の各実施の形態においては、電子機器が携帯端末であるものとして説明を行ったが、当該電子機器は、携帯端末以外の電子機器であってもよい。携帯端末以外の電子機器として、据え置き型の電子機器、所望の場所に搭載することを目的とした電子機器、等が挙げられる。
【００２９】
〔まとめ〕
本発明の態様１に係る電子機器は、外部接続端子を露出させる端子用開口を塞ぐ端子用カバーを備えており、上記端子用カバーは、上記端子用開口を塞ぐ蓋部と、上記蓋部から延びており、上記端子用開口の周縁に形成された係止用孔に挿入されている連結部と、上記連結部に設けられており、上記係止用孔における電子機器内側の周縁に引っかかる爪部とを有しており、上記爪部における上記蓋部側の側面と、上記連結部における上記爪部に対して上記蓋部側とのなす角が鋭角である。
【００３０】
上記の構成によれば、連結部および爪部における蓋部側の側面によって構成される鉤（爪）の曲がりを急峻に形成することができるため、係止用孔における電子機器内側の周縁に対する爪部の引っかかりが強固になる。また、蓋部が引っ張られて爪部が当該周縁に押し付けられたとき、当該側面と、連結部における爪部に対して蓋部側とのなす角は、鋭角から直角に変化し、その後鈍角に変化する。このため、当該角が鋭角から直角に変化するまでに必要な力の分、当該引っ張りに対して電子機器における端子用カバーの抜けが発生しにくい。従って、上記の構成によれば、端子用カバーの抜けをより確実に防ぐ電子機器を実現することができる。
【００３１】
本発明の態様２に係る電子機器は、上記態様１において、上記係止用孔における電子機器内側の周縁は、上記爪部における上記蓋部側の側面と略平行な面を含んでいる。
【００３２】
上記の構成によれば、係止用孔における電子機器内側の周縁と連結部および爪部における蓋部側の側面とが高精度に係合する（強固に噛み合う）ため、電子機器における端子用カバーの抜けをより効果的に防ぐことができる。またこれにより、当該側面と当該周縁との接触面積が広くなるため、当該側面と当該周縁との間の摩擦力が大きくなり、電子機器における端子用カバーの抜けをより効果的に防ぐことができる。
【００３３】
本発明の態様３に係る電子機器は、上記態様１または２において、上記係止用孔の内壁は、上記連結部の延伸方向に対して略平行な面を含んでいる。
【００３４】
上記の構成によれば、係止用孔に挿入された連結部と係止用孔の内壁とが、面状に接触する。これにより、連結部と当該内壁との間の摩擦力が大きくなり、電子機器における端子用カバーの抜けを効果的に防ぐことができる。
【００３５】
本発明の態様４に係る電子機器は、上記態様１から３のいずれかにおいて、上記係止用孔の内壁は、電子機器外側に向けて上記係止用孔のサイズが大きくなるように傾斜した面である。
【００３６】
上記の構成によれば、係止用孔の内壁と係止用孔における電子機器内側の周縁とのなす角を鋭角にすることが容易となる。当該角を鋭角にすることによって、当該内壁と当該周縁との境界およびその近傍に爪部が引っかかり易くなり、電子機器における端子用カバーの抜けを効果的に防ぐことができる。
【００３７】
本発明の態様５に係る電子機器は、上記態様１から４のいずれかにおいて、上記爪部は、上記連結部と反対側に、上記連結部の延伸方向に対して略平行な面を含んでいる。
【００３８】
上記の構成によれば、上記の面と係止用孔の内壁とが、面状に接触する。これにより、爪部と当該内壁との間の摩擦力が大きくなり、電子機器における端子用カバーの抜けを効果的に防ぐことができる。
【００３９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００４０】
１、１ｂ  端子用カバー
２  端子用開口
３、３ａ  キャビネット
４  外部接続端子
５  蓋部
６  連結部
７、７ｂ  爪部
７ｓ  爪部における蓋部側の側面
９、９ａ  係止用孔
９ａｗ  係止用孔の内壁
１０  係止用孔における携帯端末内側の周縁
１００、１０１、１０２  携帯端末（電子機器）
ｚ  連結部の延伸方向
θ  爪部における蓋部側の側面と、連結部における爪部に対して蓋部側とのなす角
Δ  係止用孔の内壁と係止用孔における携帯端末内側の周縁とのなす角
【図１】
2018078255.tif 000003
【図２】
2018078255.tif 000004
【図３】
2018078255.tif 000005
【図４】
2018078255.tif 000006
【図５】
2018078255.tif 000007
【図６】
2018078255.tif 000008